(57)【要約】【課題】  バーコード表示媒体により、キャッシュレスで使用できるマッサージ機を安価に提供すると共に、マッサージ機に隣設するボックスを小型化すること。【解決手段】  バーコードリーダ５と、このリーダ５を始動させる自己復帰の読み取り開始スイッチＳＷと、前記マッサージ部材用電源リレー６の収納ボックスＢとを電動マッサージ機Ｍの脇に隣設する一方、電源リレー６の制御用タイマー回路７とバーコード照合部８とを他所に設置し、この照合部で前記リーダ５から読み出したバーコードと特定バーコードとを照合し、この照合完了出力で照合結果の如何に拘らず、前記リーダ５の読み取り作動を停止させると共に、照合結果が合致したとき、この合致出力で前記タイマー回路７を始動させ、前記ボックスＢ内の電源リレー６をオン状態にすることで、電動マッサージ機Ｍを駆動可能にした。【選択図】図１
0003116119.tif 000002
【実用新案登録請求の範囲】
【請求項１】
座面と、電動マッサージ部材を有する背もたれと、肘掛け部材とをそれぞれ連設した電動マッサージ機を用い、使用時間を定めたバーコード表示媒体からバーコードを読み取るバーコードリーダと、このリーダを始動させる自己復帰の読み取り開始スイッチと、前記マッサージ部材用電源リレーの収納ボックスとを前記肘掛け部材の脇に隣設する一方、前記電源リレーの制御用タイマー回路と、パソコン設定のバーコード照合部とをそれぞれ他所に設置し、前記照合部の照合入力端子と照合開始制御端子とに、それぞれ前記バーコードリーダの読み出し端子と前記読み取り開始スイッチを各別に接続すると共に、前記照合部の照合出力端子に前記リーダの作動制御入力端子と前記タイマー回路のカウント開始入力端子とを接続してなり、前記リーダからの読み出しバーコードと前記照合部内に予め設定した特定バーコードとを前記照合部で照合し、この照合完了出力で照合結果の如何に拘らず、前記リーダの無用な作動を停止させると共に、照合結果が合致したとき、この合致出力で前記タイマー回路を始動させ、その出力端子に接続したマッサージ機脇の電源リレーを所定時間オン状態にすることで、電動マッサージ部材を前記使用時間を定めたバーコード表示媒体による所定時間だけ駆動可能にした電動マッサージ機の駆動制御装置。
【請求項２】
座面と、電動マッサージ部材を有する背もたれと、肘掛け部材とをそれぞれ連設した電動マッサージ機を用い、使用時間を定めないバーコード表示媒体からバーコードを読み取るバーコードリーダと、このリーダを始動させる自己復帰の読み取り開始スイッチと、前記マッサージ部材用電源リレーの収納ボックスとをそれぞれ前記肘掛け部材の脇に隣設する一方、前記電源リレーの制御用タイマー回路と、パソコン設定のバーコード照合部とをそれぞれ他所に設置し、前記照合部の照合入力端子と照合開始制御端子とに、それぞれ前記バーコードリーダの読み出し端子と前記読み取り開始スイッチを各別に接続すると共に、前記照合部の照合出力端子に前記リーダの作動制御入力端子と前記タイマー回路のカウント開始入力端子とを接続してなり、前記リーダからの読み出しバーコードと前記照合部内に予め設定した特定バーコードとを前記照合部で照合し、この照合完了出力で照合結果の如何に拘らず、前記リーダの無用な作動を停止させると共に、照合結果が合致したとき、この合致出力で前記タイマー回路を始動させ、その出力端子に接続したマッサージ機脇の電源リレーを所定時間オン状態にすることで、前記電動マッサージ部材を所定時間だけ駆動可能にし、かつ、前記タイマー回路にマッサージ時間記憶部を接続し、この記憶部で記憶したマッサージ機使用時間データを、使用済の前記使用時間を定めないバーコード表示媒体用リーダを設置した精算所で呼び出すことで、この精算所においてマッサージ機の使用料金を課金可能にした電動マッサージ機の駆動制御装置。
【請求項３】
前記バーコード表示媒体として、バーコードを表記した耐水性リストバンドを用いてなる請求項１または請求項２に記載の電動マッサージ機の駆動制御装置。
【請求項４】
前記バーコード表示媒体として、バーコードを表記したカードを用いてなる請求項１または請求項２に記載の電動マッサージ機の駆動制御装置。
【請求項５】
前記電動マッサージ機の座面の前側に脚載せ部を連設してなる請求項１から請求項４までのいずれか一つの請求項に記載の電動マッサージ機の駆動制御装置。
【請求項６】
前記マッサージ機の脇にマッサージ部位を使用者が選択設定するためのマッサージ部位設定用リモコンを配置してなる請求項１から請求項５までのいずれか一つの請求項に記載の電動マッサージ機の駆動制御装置。
【請求項７】
前記電源リレーに開閉接点式の電磁リレーを用いてなる請求項１から請求項６までのいずれか一つの請求項に記載の電動マッサージ機の駆動制御装置。
【請求項８】
前記電源リレーに２方向性のシリコン制御整流素子（２方向性ＳＣＲ素子）による無接点式電源リレーを用いてなる請求項１から請求項６までのいずれか一つの請求項に記載の電動マッサージ機の駆動制御装置。
【考案の詳細な説明】
【技術分野】
【０００１】
本考案は、電動マッサージ機の駆動制御装置に係り、特に、バーコード表示媒体により、キャッシュレスで使用可能にした電動マッサージ機の駆動制御装置の改良に関する。
【背景技術】
【０００２】
ゲーム機器や電動マッサージ機などの時間貸し機器をＩＤコード記録媒体により、キャッシュレスで使用可能にする課金システムとしては、例えば下記の特許文献１に記載の課金システムが周知である。
【特許文献１】特開２００４−１３９２７０号公報
【０００３】
上記特許文献１に記載の課金システムは、時間貸し機器の駆動制御部と、個人識別ＩＤコードを記録したＩＤコード記録媒体からＩＤコードを読み取るリーダライタと、読み取ったＩＤコードが他所に設けたパソコン内に予め記憶させた特定識別コードに合致したとき点灯する読み取完了表示部材と、その点灯後に使用者が操作する前記時間貸し機器の駆動開始ボタンスイッチと、その操作により所定時間だけオン状態となるタイマ回路基板と、このタイマ回路出力で前記時間貸し機器の駆動制御部を介して時間貸し機器の駆動部に所定時間だけ作動電流を供給する電磁開閉器とをそれぞれ一つのボックスに収納する。
【０００４】
次いで、上記ボックスを前記時間貸し機器の近傍に配置し、時間貸し機器をキャッシュレスで使用可能にすると共に、その使用料金情報を前述したＩＤコード記録媒体に前記リーダライタで書き込み記録し、この記録に基づき後で纏めて課金するとした時間貸し機器の課金システムである。
【考案の開示】
【考案が解決しようとする課題】
【０００５】
前記特許文献１で使用するＩＤコード記録媒体は、高価なＲＡＭ−ＩＣチップや電波の送・受信アンテナなどを内装した記録媒体てあるため、印刷表記しただけのバーコード表示媒体よりも著しく高価であり、しかも、この特許文献１におけるＩＤコードリーダライタは、ＩＤコードリーダのほかに、ＩＤコードを記録媒体のＲＡＭ−ＩＣチップに書き込むためのＩＤコードライタと、電波の送・受信アンテナなどが必要のため、バーコードリーダよりも著しく高価となり、簡易には使用できないという本質的な問題点が有る。
【０００６】
また、前記特許文献１における時間貸し機器の近傍に配置したボックス内には、時間貸し機器の駆動制御部と、ＩＤコードリーダライタと、読み取完了表示部材と、時間貸し機器の駆動開始ボタンスイッチと、タイマ回路基板と、電磁開閉器といったような多くの部材を内装してあるので、必然的に大きなボックスとなり、マッサージ機などの時間貸し機器の周辺で邪魔になり易いという問題点も有る。
【０００７】
本考案は、バーコード表示媒体によりキャッシュレスで使用できるマッサージ機を安価に提供すると共に、マッサージ機に隣設するボックスを小型化することを目的とする。
【課題を解決するための手段】
【０００８】
本考案は、座面と、電動マッサージ部材を有する背もたれと、肘掛け部材とを連設した電動マッサージ機を用い、使用時間を定めたバーコード表示媒体からバーコードを読み取るバーコードリーダと、このリーダを始動させる自己復帰の読み取り開始スイッチと、電源リレーの収納ボックスとをそれぞれ前記肘掛け部材の脇に隣設する。
【０００９】
一方、前記電源リレーの制御用タイマー回路と、パソコン設定のバーコード照合部とをそれぞれ他所に設置し、前記照合部の照合入力端子と照合開始制御端子とに、それぞれ前記バーコードリーダの読み出し端子と前記読み取り開始スイッチを各別に接続すると共に、前記照合部の照合出力端子に前記リーダの作動制御入力端子と前記タイマー回路のカウント開始入力端子とを接続する。
【００１０】
上記の各構成により、前記リーダからの読み出しバーコードと前記照合部内に予め定めてある特定バーコードを前記照合部で照合し、この照合完了出力で照合結果の如何に拘らず、前記リーダの無用な作動を停止させると共に、照合結果が合致したとき、この合致出力で前記タイマー回路を始動させ、その出力端子に接続したマッサージ機脇の電源リレーを所定時間オン状態にし、前記電動マッサージ部材を前記使用時間を定めたバーコード表示媒体による所定時間だけ駆動可能にしたことで、本考案の目的は達成できた。
【００１１】
ただし、使用時間を定めないバーコード表示媒体でマッサージ機を使用する場合には、前記タイマー回路にパソコン設定のマッサージ時間記憶部を接続し、この記憶部で記憶したマッサージ機使用時間データを、使用済の前記使用時間を定めないバーコード表示媒体用リーダを設置した精算所（フロント）で呼び出すことで、この精算所においてマッサージ機の使用料金を課金可能にする。
【考案の効果】
【００１２】
この考案における請求項１の考案によれば、前記特許文献１で使用するＩＤコード記録媒体よりも著しく安価なバーコード表示媒体と、この文献１におけるＩＤコードリーダライタよりも著しく安価なバーコードリーダとを本考案では用いたので、特定使用者がキャッシュレスで使用できる電動マッサージ機を前記特許文献１のものに比し、著しく安価に多量提供できるという優れた効果が有る。
【００１３】
また、この考案によれば、マッサージ機の肘掛け部材の脇には、バーコードリーダと、このリーダを始動させる自己復帰の読み取り開始スイッチと、電動マッサージ部材の電源リレーの収納ボックスとを備えるだけでよいから、特許文献１における前述したような多くの部材を備えた大型のボックスは本考案では必要無く、小型のボックスでよいので、電動マッサージ機の周辺がスッキリし、見栄えもよくなったという優れた効果も有る。
【００１４】
さらに本考案では、前記リーダからの読み出しバーコードと前記バーコード照合部内に予め設定した特定バーコードとを前記照合部で照合し、この照合完了出力で照合結果の如何に拘らず、前記バーコードリーダの作動を停止させ得るので、マッサージ機の使用中または待機中には、バーコードリーダの無用な動作を防止できるという効果も有る。
【００１５】
本考案における請求項２の考案によれば、前記諸効果に加え、前記タイマー回路にマッサージ時間記憶部を接続し、この記憶部で記憶した使用時間データを、使用済のバーコード表示媒体用リーダを設置したフロントなどの精算所で呼び出すことで、使用時間を定めないバーコード表示媒体でマッサージ機を使用した場合に、上記精算所においてマッサージ機の使用料金を一括して精算し、課金できるという効果を付加できた。
【００１６】
本考案における請求項３の考案のように、前記バーコード表示媒体として、バーコードを表記した耐水性リストバンドを用いれば、リストバンドは入浴時に邪魔にならないという効果を付加でき、本考案における請求項４の考案のように、前記バーコード表示媒体として、バーコードを表記したカードを用い、このカードを胸ポケットなどに入れ携行すれば、歩行中などにでバーコード表記カードが邪魔にならないという効果を付加できた。
【００１７】
本考案における請求項５の考案では、前記電動マッサージ機の座面の前側に脚載せ部を連設したので、より一層楽な姿勢でマッサージが可能になるという効果を付加でき、また本考案における請求項６の考案のように、前記マッサージ機の脇にマッサージ部位を使用者が選択設定するためのマッサージ部位設定用リモコンを配置すれば、使用者の好みに応じた木目の細かいマッサージが可能になるという効果を付加できた。
【００１８】
本考案における請求項７の考案のように、前記電源リレーに開閉接点式の電磁リレーを用いることで、開閉接点間のアイソレーションが良好となると共に、ノイズ対策を簡素化でき、電動マッサージ部材を安価な回路構成で駆動制御できるし、また本考案における請求項８の考案のように、前記電源リレーに２方向性のシリコン制御整流素子（２方向性ＳＣＲ素子）による無接点式電源リレーを用いることで、偏平軽量の半導体電源リレー回路を構成できるという効果を付加できた。
【考案を実施するための最良の形態】
【００１９】
本考案を実施するための最良の形態例は、例えば図１のように、座面１と、脚載せ部１Ａと、電動マッサージ部材（周知のものでよいから図示せず）を内装した背もたれ２と、肘掛け部材３とをそれぞれ連設した電動マッサージ機Ｍを用意する一方、使用時間を定めたバーコードを表記した図２のよう耐水性リストバンドなどの例えばプリペィド（前払い）式のバーコード表示媒体４からバーコードを読み取るための周知のバーコードリーダ５と、このリーダ５を使用者が始動させる自己復帰の読み取り開始スイッチＳＷと、その操作ボタンＳとを図１・図３のように備えたマッサージ部材用電源リレー６の収納ボックスＢを前記肘掛け部材３の脇に支持部材３Ａを介しねじ止めなどの固定手段で隣設する。
【００２０】
一方、前記電源リレー６の電流開閉部を前記電動マッサージ部材と、その電源プラグＰとの間に介在する一方、上記各電源リレー６をオン・オフ制御するためのタイマー回路７と、パソコン設定のバーコード照合部８とをそれぞれ図１のように集中管理室などの他所に設置し、上記照合部８の照合入力端子Ｔ１と照合開始制御端子Ｔ２とに、それぞれ前記バーコードリーダ５の読み出し端子Ｔ３と前記読み取り開始スイッチＳＷのホット側端子ＳＯを同図１のように各別に接続すると共に、前記照合部８の照合出力端子Ｔ４に前記リーダの作動制御入力端子Ｔ５と前記タイマー回路７のカウント開始入力端子Ｔ６とを同図１のように接続する。
【００２１】
なお、前記電源リレー６には、通常の開閉接点式の電磁リレーや、２方向性のシリコン制御整流素子（２方向性ＳＣＲ素子）による無接点式電源リレー６を採用できる。
【００２２】
上記の各構成を採用することで、前記リーダ５からの読み出しバーコードと前記バーコード照合部８内に予め設定した特定バーコードとを前記照合部８で照合し、この照合完了出力で照合結果の如何に拘らず、前記リーダ５の無用な読み取り作動を停止させると共に、照合結果が合致したとき、前記照合出力端子Ｔ４に生じた合致出力で前記駆動タイマー回路７を始動させ、その出力端子Ｔ７に励磁コイル端子Ｔ８または、ゲート入力端子Ｔ８を接続した前記電源リレー６を前記バーコード表示媒体４で定めた使用時間だけオン状態にすることで、電動マッサージ部材を前記電源プラグＰを経た電力で所定時間だけ駆動可能にした本考案による電動マッサージ機の駆動制御装置を構成できた。
【００２３】
ただし、使用時間を定めないバーコード表示媒体４でマッサージ機を使用する場合には、前記タイマー回路７にパソコン設定のマッサージ時間記憶部９を図１のように接続し、この記憶部で記憶したマッサージ機使用時間データを、使用済バーコード表示媒体用リーダ５Ａを設置した精算所（フロント）で呼び出すことで、この精算所においてマッサージ機の使用料金を課金可能にする。
【００２４】
なお、図１における符号５ａで示す部分は、バーコードリーダ５のカールコードであり、また図１における符号１０で示す部分は、マッサージ部位を使用者が選択設定するための周知のマッサージ部位設定用の有線または赤外線リモコンで、そのボタン操作により、使用者の好みに応じた木目の細かいマッサージも可能であるが、前記電動マッサージ部材に使用者の肩から腰に掛けて満遍なくマッサージするマッサージ機を用いた場合には、上記リモコン１０は当然に省略できる。
【００２５】
本考案によるマッサージ機の駆動制御装置は、以上のような構成となしたので、これを使用するに当たり、使用者はマッサージ機Ｍに腰掛けた後、その脇のボックスＢの上面に図１のように配置した自己復帰の読み取り開始スイッチＳＷの操作ボタンＳを押して前記バーコードリーダ５を読み取り可能状態にスタンバイさせた後、自己の使用時間を定めたバーコード表示媒体４をバーコードリーダ５のスキャナ面に接近させることで、上記表示媒体４のバーコードをバーコードリーダ５で読み出すことができる。
【００２６】
上記読み出したバーコードは、図１のように他所に設置したバーコード照合部８に送り、この照合部８内に予め設定してある特定バーコードと、上記読み出しバーコードとを照合部８で照合し、この照合完了出力で照合結果の如何に拘らず、前記リーダ５の無用な作動を停止させ得ると共に、照合結果が合致したとき、この合致出力で前記タイマー回路７を始動させ、その出力端子Ｔ７に接続した前記マッサージ機脇の電源リレー６を前記使用時間を定めたバーコード表示媒体４による所定時間だけオン状態にすることで、前記電動マッサージ部材を前記電源プラグＰを経た電力で上記所定時間だけ駆動可能にできた。
【実施例】
【００２７】
ただし、使用時間を定めないバーコード表示媒体４でマッサージ機を使用する場合には、前記タイマー回路７に図１のようにパソコン設定のマッサージ時間記憶部９を接続し、ここで記憶した使用時間データを、使用済バーコード表示媒体４を読み取るバーコードリーダ５Ａを設置したフロントなどの精算所で呼出すことで、この精算所においてマッサージ機Ｍのトータル使用料金を精算し、一括して課金できる。
【産業上の利用可能性】
【００２８】
本考案によるマッサージ機の駆動制御装置は、ゲーム機などの時間貸し機器の駆動制御装置としても利用できる。
【図面の簡単な説明】
【００２９】
【図１】本考案の実施形態の一例を示す構成図
【図２】本考案に用いるバーコード表示媒体の一例を示す正面図
【図３】バーコードリーダとボックスとの関連を示す斜視図
【符号の説明】
【００３０】
１  座面
１Ａ  脚載せ部
２  背もたれ
３  肘掛け部材
３Ａ  ボックス支持部材
４  バーコード表示媒体
５  バーコードリーダ
６  電源リレー
７  タイマー回路
８  バーコード照合部
９  マッサージ時間記憶部
Ｍ  マッサージ機
Ｂ  電源リレーの収納ボックス
１０  マッサージ部位設定リモコン
ＳＷ  読み取り開始スイッチ
ＳＯ  読取り開始スイッチのホット側端子
Ｔ１  照合入力端子
Ｔ２  照合開始制御端子
Ｔ３  バーコードリーダの読み出し端子
Ｔ４  照合出力端子
Ｔ５  バーコードリーダの作動制御入力端子
Ｔ６  タイマー回路のカウント開始入力端子
Ｔ７  タイマー回路の出力端子
Ｔ８  電源リレーの励磁コイル端子またはゲート入力端子
【図１】
0003116119.tif 000003
【図２】
0003116119.tif 000004
【図３】
0003116119.tif 000005